【手続補正書】
【提出日】平成19年6月11日(2007.6.11)
【手続補正１】
【補正対象書類名】特許請求の範囲
【補正対象項目名】全文
【補正方法】変更
【補正の内容】
【特許請求の範囲】
【請求項１】
光ディスクの情報記録面に対して対物レンズを駆動して光ビームのフォーカスオフセットを調整するフォーカスオフセット調整機構と、前記情報記録面に照射された光ビームに発生する球面収差を補正する球面収差補正機構とを用いて、球面収差とフォーカスオフセットを調整する方法において、
情報トラック横断信号の品位を示す第１の評価指標と、情報再生信号品位を示す第２の評価指標との各々のフォーカスオフセット依存性を、少なくとも２点以上の複数の球面収差補正値に対して測定し、
前記第１の評価指標に関して前記球面収差補正値に対し前記第１の評価指標が最大となるフォーカスオフセット依存性を第１の多項式近似曲線、前記第２の評価指標に関して前記球面収差補正値に対し前記第２の評価指標が最大となるフォーカスオフセット依存性を第２の多項式近似曲線として各々求め、
これら第１の多項式近似曲線と第２の多項式近似曲線との交点を球面収差補正値及びフォーカスオフセット値として設定することを特徴とする光ディスク装置の球面収差及びフォーカスオフセット調整方法。
【請求項２】
前記第１の評価指標は、プッシュプル信号に基づくトラック横断信号振幅であることを特徴とする請求項１に記載の光ディスク装置の球面収差及びフォーカスオフセット調整方法。
【請求項３】
前記トラック横断信号振幅の測定は、測定範囲中においてトラックジャンプ動作を複数回繰り返し、そのトラックジャンプ中のトラック横断信号の振幅を測定することを特徴とする請求項１又は２に記載の光ディスク装置の球面収差及びフォーカスオフセット調整方法。
【請求項４】
前記第２の評価指標は、再生信号振幅値であることを特徴とする請求項１に記載の光ディスク装置の球面収差及びフォーカスオフセット調整方法。
【請求項５】
前記第２の評価指標は、情報再生信号におけるタイミングジッタ値であることを特徴とする請求項１に記載の光ディスク装置の球面収差及びフォーカスオフセット調整方法。
【請求項６】
前記光ディスク装置はビタビ復号を採用し、前記情報再生信号品位を示す第２の評価指標はビタビ復号における所定パス合流時の尤度差の統計値を利用することを特徴とする請求項１に記載の光ディスク装置の球面収差及びフォーカスオフセット調整方法。
【請求項７】
前記第２の評価指標は、情報再生におけるエラーレートであることを特徴とする請求項１に記載の光ディスク装置の球面収差及びフォーカスオフセット調整方法。
【請求項８】
前記再生信号振幅値は、チャネルクロックの整数倍のクロックで再生信号を同期或いは非同期でサンプリングしたサンプルデータ群の標準偏差値に基づく値であることを特徴とする請求項４に記載の光ディスク装置の球面収差及びフォーカスオフセット調整方法。
【請求項９】
前記第２の評価指標の測定は、記録／再生の両動作において同一の球面収差補正値及びフォーカスオフセット値を適用して測定を行うことを特徴とする請求項１に記載の光ディスク装置の球面収差及びフォーカスオフセット調整方法。
【請求項１０】
１つの球面収差補正値に対して測定した前記第１の評価指標が最大となるフォーカスオフセット値fo1と、前記第２の評価指標が最大となるフォーカスオフセット値fo2との差Δ|fo1−fo2|が所定規定値以下の場合、球面収差補正調整を行う必要がないと判断し、フォーカスオフセット値をfo1〜fo2の間のいずれかの値に設定し、球面収差補正調整を終了することを特徴とする請求項１に記載の光ディスク装置の球面収差及びフォーカスオフセット調整方法。
【請求項１１】
光ディスクの情報記録面に対して対物レンズを駆動して光ビームのフォーカスオフセットを調整するフォーカスオフセット調整機構と、前記情報記録面に照射された光ビームに発生する球面収差を補正する球面収差補正機構とを有する光ディスク装置において、
情報再生信号品位を示す第１の評価指標と、情報トラック横断信号の品位を示す第２の評価指標とのそれぞれのフォーカスオフセット依存性を、少なくとも２点以上の複数点の球面収差補正値に対して測定する手段と、
前記第１の評価指標に関して前記球面収差補正値に対し前記第１の評価指標が最大となるフォーカスオフセット依存性を第１の多項式近似曲線、前記第２の評価指標に関して前記球面収差補正値に対し前記第２の評価指標が最大となるフォーカスオフセット依存性を第２の多項式近似曲線としてそれぞれ算出する手段と、
これら第１の多項式近似曲線と第２の多項式近似曲線との交点を球面収差補正値及びフォーカスオフセット値として設定する手段とを備えたことを特徴とする光ディスク装置。
【請求項１２】
１つの球面収差補正値に対して測定した前記第１の評価指標が最大となるフォーカスオフセット値fo1と、第２の評価指標が最大となるフォーカスオフセット値fo2との差Δ|fo1−fo2|が所定規定値以下の場合、球面収差補正調整を行う必要がないと判断し、フォーカスオフセット値をfo1〜fo2の間のいずれかの値に設定し、球面収差補正調整を終了することを特徴とする請求項１１に記載の光ディスク装置。
【手続補正２】
【補正対象書類名】明細書
【補正対象項目名】００２７
【補正方法】変更
【補正の内容】
【００２７】
本発明は、上記目的を達成するため、光ディスクの情報記録面に対して対物レンズを駆動して光ビームのフォーカスオフセットを調整するフォーカスオフセット調整機構と、前記情報記録面に照射された光ビームに発生する球面収差を補正する球面収差補正機構とを用いて、球面収差とフォーカスオフセットを調整する方法において、情報トラック横断信号の品位を示す第１の評価指標と、情報再生信号品位を示す第２の評価指標との各々のフォーカスオフセット依存性を、少なくとも２点以上の複数の球面収差補正値に対して測定し、前記第１の評価指標に関して前記球面収差補正値に対し前記第１の評価指標が最大となるフォーカスオフセット依存性を第１の多項式近似曲線、前記第２の評価指標に関して前記球面収差補正値に対し前記第２の評価指標が最大となるフォーカスオフセット依存性を第２の多項式近似曲線として各々求め、これら第１の多項式近似曲線と第２の多項式近似曲線との交点を球面収差補正値及びフォーカスオフセット値として設定することを特徴とする。
【手続補正３】
【補正対象書類名】明細書
【補正対象項目名】００２８
【補正方法】変更
【補正の内容】
【００２８】
また、本発明は、光ディスクの情報記録面に対して対物レンズを駆動して光ビームのフォーカスオフセットを調整するフォーカスオフセット調整機構と、前記情報記録面に照射された光ビームに発生する球面収差を補正する球面収差補正機構とを有する光ディスク装置において、情報再生信号品位を示す第１の評価指標と、情報トラック横断信号の品位を示す第２の評価指標とのそれぞれのフォーカスオフセット依存性を、少なくとも２点以上の複数点の球面収差補正値に対して測定する手段と、前記第１の評価指標に関して前記球面収差補正値に対し前記第１の評価指標が最大となるフォーカスオフセット依存性を第１の多項式近似曲線、前記第２の評価指標に関して前記球面収差補正値に対し前記第２の評価指標が最大となるフォーカスオフセット依存性を第２の多項式近似曲線としてそれぞれ算出する手段と、これら第１の多項式近似曲線と第２の多項式近似曲線との交点を球面収差補正値及びフォーカスオフセット値として設定する手段とを備えたことを特徴とする。